【手続補正書】
【提出日】平成30年3月20日(2018.3.20)
【手続補正１】
【補正対象書類名】特許請求の範囲
【補正対象項目名】全文
【補正方法】変更
【補正の内容】
【特許請求の範囲】
【請求項１】
複合構造体（３０）用のアール状フィラー（３９０）を形成する方法（４００）であって、前記複合構造体（３０）は、複合材料（３１）の複数の層を含み、前記複数の層は、移行領域（４０）内で収束することによって長状空所領域（３８）を規定しており、前記アール状フィラー（３９０）は、前記長状空所領域（３８）内で延びるように構成されており、当該方法（４００）は、
前記長状空所領域（３８）の横断面形状を特定することと、
前記移行領域（４０）の材料特性フィールドを特定することと、
前記アール状フィラー（３９０）を形成すること、とを含み、
前記移行領域の材料特性フィールドとは、移行領域（４０）及び／又はアール状フィラー３９０内の位置及び／又は方向に関連した、１つ又は複数の材料特性の大きさ、配向、及び／又は、変化を、それぞれ任意の適当な態様で数学的に表したものをいい、
前記形成することは、
複数本の複合テープ（１６０）を結合するにあたり、前記複数本の複合テープ（１６０）のそれぞれは、複数本の強化用繊維（９０）、及び樹脂材料（９２）を含み、前記複数本の複合テープ（１６０）のそれぞれは、繊維軸方向（１６２）を規定しているものを用いて、前記長状空所領域（３８）の前記横断面形状に一致するアール部充填物（３９０）横断面形状を規定することと；
前記複数本の複合テープ（１６０）のそれぞれの前記複数本の強化用繊維（９０）を、少なくとも部分的に、前記移行領域（４０）の前記材料特性フィールドに基づいて配向することと；を含む、方法。
【請求項２】
前記長状空所領域（３８）の前記横断面形状を特定することは、前記複合構造体（３０）をモデル化すること、及び、前記長状空所領域（３８）の所望の横断面形状を特定すること、の少なくとも一方を含む、請求項１に記載の方法（４００）。
【請求項３】
前記配向することは、前記アール状フィラー（３９０）の材料特性フィールドが、前記移行領域（４０）の前記材料特性フィールドに一致するように配向することを含む、請求項１に記載の方法（４００）。
【請求項４】
前記配向することは、前記アール状フィラー（３９０）の材料特性フィールドが、前記移行領域（４０）の前記材料特性フィールドに対して、前記移行領域（４０）と前記アール状フィラー（３９０）との界面（７０）において、前記移行領域（４０）の前記材料特性フィールドの２０％以内で一致するように、配向することを含む、請求項１に記載の方法（４００）。
【請求項５】
前記移行領域（４０）の前記材料特性フィールドを特定することは、前記移行領域（４０）の２次元材料特性フィールドを特定すること、及び、前記移行領域（４０）の３次元材料特性フィールドを特定すること、の少なくとも一方を含む、請求項１に記載の方法（４００）。
【請求項６】
前記移行領域（４０）の前記材料特性フィールドは、前記移行領域（４０）の剛性フィールド、前記移行領域（４０）の熱膨張係数フィールド、及び、前記移行領域（４０）の応力フィールド（８０）のうちの１つ又は複数を含む、請求項１に記載の方法（４００）。
【請求項７】
前記移行領域（４０）の前記材料特性フィールドを特定することは、前記移行領域（４０）内の主要応力領域（８０）を特定すること、及び、前記主要応力領域（８０）内の主要応力方向（８２）を特定すること、を含み、さらに、前記配向することは、前記複数本の複合テープ（１６０）の少なくとも１つが、前記主要応力領域（８０）内に位置する前記アール状フィラー（３９０）の一部内で延び、且つ、前記主要応力方向（８２）に少なくとも実質的に平行な繊維軸方向（１６２）を規定するように、配向することを含む、請求項１に記載の方法（４００）。
【請求項８】
前記方法（４００）は、前記結合することの前に、前記複数本の複合テープ（１６０）のそれぞれにおける前記繊維軸方向（８２）を、少なくとも部分的に、前記長状空所領域（３８）の前記横断面形状及び前記移行領域（４０）の前記材料特性フィールドの少なくとも１つに基づいて決定すること、をさらに含む、請求項１に記載の方法（４００）。
【請求項９】
前記方法（４００）は、前記結合することの前に、前記複数本の複合テープ（１６０）のぞれぞれの、前記アール状フィラー（３９０）内における相対位置を、少なくとも部分的に、前記長状空所領域（３８）の前記横断面形状及び前記移行領域（４０）の前記材料特性フィールドの少なくとも１つに基づいて確定すること、をさらに含む、請求項１に記載の方法（４００）。
【請求項１０】
前記結合することは、前記アール状フィラー（３９０）の外面を規定する前記複数本の複合テープ（１６０）のそれぞれが、前記アール状フィラー（３９０）の長軸（３９２）に平行な繊維軸方向（１６２）を規定するように結合することを含む、請求項１に記載の方法（４００）。
【請求項１１】
前記結合することは、
（ｉ）前記複数本の複合テープ（１６０）を、成形型（３０６）の第１面（３３２）の複数の第１開口（３３６）に挿入することと、
（ｉｉ）前記複数本の複合テープ（１６０）を前記成形型（３０６）内で互いに圧接することによりアール状フィラー（３９０）を形成することと、
（ｉｉｉ）前記成形型（３０６）の第２面（３３４）の第２開口（３３８）から前記アール状フィラー（３９０）を引き抜くこと、とを含み、前記挿入すること、前記圧接すること、及び、前記引き抜くことは、同時に行われる、請求項１に記載の方法（４００）。
【請求項１２】
前記複合構造体（３０）内にアール状フィラー（３９０）を配置することをさらに含む、請求項１に記載の方法（４００）。
【請求項１３】
複合構造体（３０）用のアール状フィラー（３９０）であって、前記複合構造体（３０）は、複合材料（３１）の複数の層（４８）を含んでおり、前記複数の層は、移行領域（４０）内で収束することによって長状空所領域（３８）を規定しており、前記複合材料（３１）の前記複数の層（４８）は、前記移行領域（４０）の材料特性フィールドを規定しており、さらに、前記アール状フィラー（３９０）は、前記長状空所領域（３８）内に延びるように構成されており、
前記移行領域の材料特性フィールドとは、移行領域（４０）及び／又はアール状フィラー３９０内の位置及び／又は方向に関連した、１つ又は複数の材料特性の大きさ、配向、及び／又は、変化を、それぞれ任意の適当な態様で数学的に表したものをいい、
前記アール状フィラー（３９０）は、複数本の複合テープ（１６０）を含んでおり、
前記複数本の複合テープ（１６０）は、それぞれ、複数本の強化用繊維（９０）、及び樹脂材料（９２）を含んでおり、
前記複数本の複合テープ（１６０）のそれぞれにおける前記複数本の強化用繊維（９０）は、繊維軸方向（１６２）を規定しており、
前記複数本の複合テープ（１６０）のそれぞれは、少なくとも部分的に、前記移行領域（４０）の前記材料特性フィールドに基づいて選択された繊維軸方向（１６２）を規定する、アール状フィラー。
【請求項１４】
前記アール状フィラー（３９０）の材料特性フィールドは、前記移行領域（４０）の前記材料特性フィールドに一致している、請求項１３に記載のアール状フィラー（３９０）。
【請求項１５】
前記アール状フィラー（３９０）の材料特性フィールドは、前記移行領域（４０）の前記材料特性フィールドに対して、前記移行領域（４０）と前記アール状フィラー（３９０）との界面（７０）において、前記移行領域（４０）の前記材料特性フィールドの２０％以内で一致する、請求項１３に記載のアール状フィラー（３９０）。